(57)【特許請求の範囲】
【請求項１】
注文受付端末と印刷機とからなる画像形成システムであって、
前記注文受付端末は、
原画像を入力する入力手段と、
前記原画像または前記原画像に所定の画像処理を施した画像である第１画像に重畳して受像紙に形成される第２画像を記憶する記憶手段と、
少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付手段と、
を具備し、
前記印刷機は、
前記受付手段による受付順に従い、前記第１画像を前記受像紙に形成する第１の画像形成手段と、
前記重複有無情報が重複なしを示す場合、前記第２画像を形成するための転写材を直前の画像形成処理と同一の転写開始位置に搬送し、前記第１の画像形成手段によって形成された画像と対応する前記第２画像を前記受像紙に形成する第２の画像形成手段と、
を具備し、
前記受付手段は、選択可能な前記第２画像の一覧画面を表示し、前記一覧画面から選択された前記第２画像を前記第１画像と対応付けて注文を受け付けるものであって、
前記一覧画面には、少なくとも直前に受け付けた注文に係る前記第２画像と互いに印画領域が重複しない前記第２画像が識別可能に表示されることを特徴とする画像形成システム。
【請求項２】
注文受付端末と印刷機とからなる画像形成システムであって、
前記注文受付端末は、
原画像を入力する入力手段と、
前記原画像または前記原画像に所定の画像処理を施した画像である第１画像に重畳して受像紙に形成される第２画像を記憶する記憶手段と、
少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付手段と、
を具備し、
前記印刷機は、
前記受付手段による受付順に従い、前記第１画像を前記受像紙に形成する第１の画像形成手段と、
前記重複有無情報が重複なしを示す場合、前記第２画像を形成するための転写材を直前の画像形成処理と同一の転写開始位置に搬送し、前記第１の画像形成手段によって形成された画像と対応する前記第２画像を前記受像紙に形成する第２の画像形成手段と、
を具備し、
前記第２画像は、テンプレートとして予め記憶されるものであって、
前記記憶手段は、互いに印画領域が重複しないまたは重複する前記テンプレートを同一のグループとして記憶しておき、
前記受付手段は、少なくとも直前に受け付けた注文に係る前記テンプレートが同一のグループかどうかを判定することによって前記重複有無情報を設定することを特徴とする画像形成システム。
【請求項３】
注文受付端末と印刷機とからなる画像形成システムであって、
前記注文受付端末は、
原画像を入力する入力手段と、
前記原画像または前記原画像に所定の画像処理を施した画像である第１画像に重畳して受像紙に形成される第２画像を記憶する記憶手段と、
少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付手段と、
を具備し、
前記印刷機は、
前記受付手段による受付順に従い、前記第１画像を前記受像紙に形成する第１の画像形成手段と、
前記重複有無情報が重複なしを示す場合、前記第２画像を形成するための転写材を直前の画像形成処理と同一の転写開始位置に搬送し、前記第１の画像形成手段によって形成された画像と対応する前記第２画像を前記受像紙に形成する第２の画像形成手段と、
を具備し、
前記第２画像は、前記第１の画像形成手段によって同時に形成される複数の前記第１画像の印画位置情報とともに、レイアウトテンプレートとして予め記憶されるものであって、
前記記憶手段は、互いに前記第２画像の印画領域が重複しないまたは重複する前記レイアウトテンプレートを同一のグループとして記憶しておき、
前記受付手段は、少なくとも直前に受け付けた注文に係る前記レイアウトテンプレートが同一のグループかどうかを判定することによって前記重複有無情報を設定することを特徴とする画像形成システム。
【請求項４】
注文受付端末と印刷機とからなる画像形成システムにおける画像形成方法であって、
前記注文受付端末が、
原画像を入力する入力ステップと、
前記原画像または前記原画像に所定の画像処理を施した画像である第１画像に重畳して受像紙に形成される第２画像を記憶する記憶ステップと、
少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付ステップと、
を実行し、
前記印刷機は、
前記受付ステップによる受付順に従い、前記第１画像を前記受像紙に形成する第１の画像形成ステップと、
前記重複有無情報が重複なしを示す場合、前記第２画像を形成するための転写材を直前の画像形成処理と同一の転写開始位置に搬送し、前記第１の画像形成ステップによって形成された画像と対応する前記第２画像を前記受像紙に形成する第２の画像形成ステップと、
を実行し、
前記受付ステップは、選択可能な前記第２画像の一覧画面を表示し、前記一覧画面から選択された前記第２画像を前記第１画像と対応付けて注文を受け付けるものであって、
前記一覧画面には、少なくとも直前に受け付けた注文に係る前記第２画像と互いに印画領域が重複しない前記第２画像が識別可能に表示されることを特徴とする画像形成方法。
【請求項５】
注文受付端末と印刷機とからなる画像形成システムにおける画像形成方法であって、
前記注文受付端末が、
原画像を入力する入力ステップと、
前記原画像または前記原画像に所定の画像処理を施した画像である第１画像に重畳して受像紙に形成される第２画像を記憶する記憶ステップと、
少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付ステップと、
を実行し、
前記印刷機は、
前記受付ステップによる受付順に従い、前記第１画像を前記受像紙に形成する第１の画像形成ステップと、
前記重複有無情報が重複なしを示す場合、前記第２画像を形成するための転写材を直前の画像形成処理と同一の転写開始位置に搬送し、前記第１の画像形成ステップによって形成された画像と対応する前記第２画像を前記受像紙に形成する第２の画像形成ステップと、
を実行し、
前記第２画像は、テンプレートとして予め記憶されるものであって、
前記記憶ステップは、互いに印画領域が重複しないまたは重複する前記テンプレートを同一のグループとして記憶しておき、
前記受付ステップは、少なくとも直前に受け付けた注文に係る前記テンプレートが同一のグループかどうかを判定することによって前記重複有無情報を設定することを特徴とする画像形成方法。
【請求項６】
注文受付端末と印刷機とからなる画像形成システムにおける画像形成方法であって、
前記注文受付端末が、
原画像を入力する入力ステップと、
前記原画像または前記原画像に所定の画像処理を施した画像である第１画像に重畳して受像紙に形成される第２画像を記憶する記憶ステップと、
少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付ステップと、
を実行し、
前記印刷機は、
前記受付ステップによる受付順に従い、前記第１画像を前記受像紙に形成する第１の画像形成ステップと、
前記重複有無情報が重複なしを示す場合、前記第２画像を形成するための転写材を直前の画像形成処理と同一の転写開始位置に搬送し、前記第１の画像形成ステップによって形成された画像と対応する前記第２画像を前記受像紙に形成する第２の画像形成ステップと、
を実行し、
前記第２画像は、前記第１の画像形成ステップによって同時に形成される複数の前記第１画像の印画位置情報とともに、レイアウトテンプレートとして予め記憶されるものであって、
前記記憶ステップは、互いに前記第２画像の印画領域が重複しないまたは重複する前記レイアウトテンプレートを同一のグループとして記憶しておき、
前記受付ステップは、少なくとも直前に受け付けた注文に係る前記レイアウトテンプレートが同一のグループかどうかを判定することによって前記重複有無情報を設定することを特徴とする画像形成方法。
【発明の詳細な説明】
【技術分野】
【０００１】
本発明は、利用者からの注文を受け付ける注文受付端末と、受像紙に画像を形成する印刷機とからなる画像形成システムに関する。
【背景技術】
【０００２】
近年、シールプリント等では、昇華転写した画像にホログラムの転写を行い、受像紙に画像を形成し印画物を作成する手法が用いられているものがある。これにより、印画物の意匠性を向上させることが可能である。
【０００３】
これらの印画物は、例えば２つのサーマルヘッドを有するプリンタを用いて、１ヘッド目でＹ（イエロー）、Ｍ（マゼンダ）、Ｃ（シアン）の色材、および保護層が面順次に設けられた熱転写シートを用いて受像紙に転写を行い、Ｙ、Ｍ、Ｃの色材を用いて画像を形成し保護層を転写した後、２ヘッド目でホログラム層を設けたホログラム熱転写シートを用いて受像紙にホログラムの転写を行う。特許文献１には、このような画像およびホログラムの転写を行う方法の一例が示されている。
【先行技術文献】
【特許文献】
【０００４】
【特許文献１】特開２００３−１３６７７０号公報
【発明の概要】
【発明が解決しようとする課題】
【０００５】
ところで、２ヘッド目で転写するホログラム熱転写シートは、印画物の１枚ごとに、当該印画物の搬送長さに合わせて転写とともに送り出される。即ち、受像紙のごく一部のみに転写し、多くの部分を使用しなかった場合でもホログラム熱転写シートは受像紙の１枚分送り出され、残った箇所を再び利用することはない。しかしながら、ホログラム熱転写シートは高価であり、これを効率良く使用することが求められる。
【０００６】
本発明は、前述した問題点に鑑みてなされたもので、ホログラム熱転写シート等を効率良く使用する画像形成システム等を提供することを目的とする。
【課題を解決するための手段】
【０００７】
前述した目的を達するために第１の発明は、注文受付端末と印刷機とからなる画像形成システムであって、前記注文受付端末は、原画像を入力する入力手段と、前記原画像または前記原画像に所定の画像処理を施した画像である第１画像に重畳して受像紙に形成される第２画像を記憶する記憶手段と、少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付手段と、
を具備し、前記印刷機は、前記受付手段による受付順に従い、前記第１画像を前記受像紙に形成する第１の画像形成手段と、前記重複有無情報が重複なしを示す場合、前記第２画像を形成するための転写材を直前の画像形成処理と同一の転写開始位置に搬送し、前記第１の画像形成手段によって形成された画像と対応する前記第２画像を前記受像紙に形成する第２の画像形成手段と、を具備し、前記受付手段は、選択可能な前記第２画像の一覧画面を表示し、前記一覧画面から選択された前記第２画像を前記第１画像と対応付けて注文を受け付けるものであって、前記一覧画面には、少なくとも直前に受け付けた注文に係る前記第２画像と互いに印画領域が重複しない前記第２画像が識別可能に表示されることを特徴とする画像形成システムである。
第１の発明によって、ホログラム熱転写シートなど第２画像を形成するための転写材を効率良く使用することができる。更に、ユーザは、第２画像を容易に選択することができる。ユーザにとっては、数多くの画像の中から１つを選択することは、時間を要する作業である。本発明によれば、判断基準（環境に優しい等）をユーザに提示することができ、ユーザにとっても利用し易くなる。また、第２画像を形成するための転写材を効率良く使用できる画像を選択した場合には料金を低減することなどもできる。

【０００８】
第２の発明は、注文受付端末と印刷機とからなる画像形成システムであって、前記注文受付端末は、原画像を入力する入力手段と、前記原画像または前記原画像に所定の画像処理を施した画像である第１画像に重畳して受像紙に形成される第２画像を記憶する記憶手段と、少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付手段と、を具備し、前記印刷機は、前記受付手段による受付順に従い、前記第１画像を前記受像紙に形成する第１の画像形成手段と、前記重複有無情報が重複なしを示す場合、前記第２画像を形成するための転写材を直前の画像形成処理と同一の転写開始位置に搬送し、前記第１の画像形成手段によって形成された画像と対応する前記第２画像を前記受像紙に形成する第２の画像形成手段と、を具備し、前記第２画像は、テンプレートとして予め記憶されるものであって、前記記憶手段は、互いに印画領域が重複しないまたは重複する前記テンプレートを同一のグループとして記憶しておき、前記受付手段は、少なくとも直前に受け付けた注文に係る前記テンプレートが同一のグループかどうかを判定することによって前記重複有無情報を設定することを特徴とする画像形成システムである。
【０００９】
第３の発明は、注文受付端末と印刷機とからなる画像形成システムであって、前記注文受付端末は、原画像を入力する入力手段と、前記原画像または前記原画像に所定の画像処理を施した画像である第１画像に重畳して受像紙に形成される第２画像を記憶する記憶手段と、少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付手段と、を具備し、前記印刷機は、前記受付手段による受付順に従い、前記第１画像を前記受像紙に形成する第１の画像形成手段と、前記重複有無情報が重複なしを示す場合、前記第２画像を形成するための転写材を直前の画像形成処理と同一の転写開始位置に搬送し、前記第１の画像形成手段によって形成された画像と対応する前記第２画像を前記受像紙に形成する第２の画像形成手段と、を具備し、前記第２画像は、前記第１の画像形成手段によって同時に形成される複数の前記第１画像の印画位置情報とともに、レイアウトテンプレートとして予め記憶されるものであって、前記記憶手段は、互いに前記第２画像の印画領域が重複しないまたは重複する前記レイアウトテンプレートを同一のグループとして記憶しておき、前記受付手段は、少なくとも直前に受け付けた注文に係る前記レイアウトテンプレートが同一のグループかどうかを判定することによって前記重複有無情報を設定することを特徴とする画像形成システムである。
【００１０】
第４の発明は、注文受付端末と印刷機とからなる画像形成システムにおける画像形成方法であって、前記注文受付端末が、原画像を入力する入力ステップと、前記原画像または前記原画像に所定の画像処理を施した画像である第１画像に重畳して受像紙に形成される第２画像を記憶する記憶ステップと、少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付ステップと、を実行し、前記印刷機は、前記受付ステップによる受付順に従い、前記第１画像を前記受像紙に形成する第１の画像形成ステップと、前記重複有無情報が重複なしを示す場合、前記第２画像を形成するための転写材を直前の画像形成処理と同一の転写開始位置に搬送し、前記第１の画像形成ステップによって形成された画像と対応する前記第２画像を前記受像紙に形成する第２の画像形成ステップと、を実行し、前記受付ステップは、選択可能な前記第２画像の一覧画面を表示し、前記一覧画面から選択された前記第２画像を前記第１画像と対応付けて注文を受け付けるものであって、前記一覧画面には、少なくとも直前に受け付けた注文に係る前記第２画像と互いに印画領域が重複しない前記第２画像が識別可能に表示されることを特徴とする画像形成方法である。
【００１１】
第５の発明は、注文受付端末と印刷機とからなる画像形成システムにおける画像形成方法であって、前記注文受付端末が、原画像を入力する入力ステップと、前記原画像または前記原画像に所定の画像処理を施した画像である第１画像に重畳して受像紙に形成される第２画像を記憶する記憶ステップと、少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付ステップと、を実行し、前記印刷機は、前記受付ステップによる受付順に従い、前記第１画像を前記受像紙に形成する第１の画像形成ステップと、前記重複有無情報が重複なしを示す場合、前記第２画像を形成するための転写材を直前の画像形成処理と同一の転写開始位置に搬送し、前記第１の画像形成ステップによって形成された画像と対応する前記第２画像を前記受像紙に形成する第２の画像形成ステップと、を実行し、前記第２画像は、テンプレートとして予め記憶されるものであって、前記記憶ステップは、互いに印画領域が重複しないまたは重複する前記テンプレートを同一のグループとして記憶しておき、前記受付ステップは、少なくとも直前に受け付けた注文に係る前記テンプレートが同一のグループかどうかを判定することによって前記重複有無情報を設定することを特徴とする画像形成方法である。
【００１２】
第６の発明は、注文受付端末と印刷機とからなる画像形成システムにおける画像形成方法であって、前記注文受付端末が、原画像を入力する入力ステップと、前記原画像または前記原画像に所定の画像処理を施した画像である第１画像に重畳して受像紙に形成される第２画像を記憶する記憶ステップと、少なくとも直前に受け付けた注文に係る前記第２画像と、当該注文に係る前記第２画像とが互いに印画領域が重複するか否かを示す重複有無情報とともに、当該注文に係る前記第１画像と当該注文に係る前記第２画像とを対応付けて注文を受け付ける受付ステップと、を実行し、前記印刷機は、前記受付ステップによる受付順に従い、前記第１画像を前記受像紙に形成する第１の画像形成ステップと、前記重複有無情報が重複なしを示す場合、前記第２画像を形成するための転写材を直前の画像形成処理と同一の転写開始位置に搬送し、前記第１の画像形成ステップによって形成された画像と対応する前記第２画像を前記受像紙に形成する第２の画像形成ステップと、を実行し、前記第２画像は、前記第１の画像形成ステップによって同時に形成される複数の前記第１画像の印画位置情報とともに、レイアウトテンプレートとして予め記憶されるものであって、前記記憶ステップは、互いに前記第２画像の印画領域が重複しないまたは重複する前記レイアウトテンプレートを同一のグループとして記憶しておき、前記受付ステップは、少なくとも直前に受け付けた注文に係る前記レイアウトテンプレートが同一のグループかどうかを判定することによって前記重複有無情報を設定することを特徴とする画像形成方法である。
【発明の効果】
【００１３】
本発明により、ホログラム熱転写シート等を効率良く使用する画像形成システム等を提供することができる。
【図面の簡単な説明】
【００１４】
【図１】画像形成システム１の全体構成図
【図２】注文受付端末１００の一例を示す外観斜視図
【図３】印刷機２００の内部構成の一例を示す図
【図４】ロール紙３の層構成の一例を示す図
【図５】熱転写シート１１の平面構成の一例を示す図
【図６】ホログラム熱転写シート２１の層構成の一例を示す図
【図７】装飾グループ３００ａ、３００ｂの一例を示す図
【図８】印刷データ３１０の一例を示す図
【図９】テンプレート選択処理の詳細を示すフローチャート
【図１０】一覧画面（推奨無）３２０の一例を示す図
【図１１】一覧画面（推奨有）３４０の一例を示す図
【図１２】装飾グループの変形例を示す図
【図１３】画像形成処理の詳細を示すフローチャート
【図１４】一覧画面（推奨無）３２０ａの一例を示す図
【図１５】一覧画面（推奨有）３４０ａの一例を示す図
【図１６】レイアウトグループ３６０の一例を示す図
【発明を実施するための形態】
【００１５】
以下、図面を参照しながら、本発明の画像形成システム等の実施形態について説明する。画像形成システムの印刷機は、熱転写方式により両面印刷を行うことが可能なものを例にとり説明する。
【００１６】
最初に、図１から図６を参照しながら、画像形成システムの構成について説明する。
図１は、画像形成システムの全体構成を示している。画像形成システム１は、注文受付端末１００と印刷機２００により構成される。
【００１７】
注文受付端末１００は、制御部、記憶部、入力部、表示部、通信部等を有し、ユーザが画像形成を希望する原画像の入力や、原画像の装飾に用いるホログラム画像の選択を受け付け、これを印刷機２００へと送信し入力する。
【００１８】
印刷機２００は、制御部、操作部、通信部、印刷機構等を有し、入力された原画像や、選択されたホログラム画像を制御部のメモリ等に保存し、これらの画像を、熱転写方式により受像紙へ印画、転写する。受像紙は、例えばロール紙であるが、枚葉紙でもよい。
【００１９】
次に、図２を用いて注文受付端末１００について説明する。図２に示すように、注文受付端末１００の上部正面には、タッチパネル付ディスプレイ１０１が配置されている。タッチパネル付ディスプレイ１０１は、操作の案内、操作の状況、画像等を表示するとともに、ユーザからの指示を受け付ける。ユーザは、タッチパネル付ディスプレイ１０１を介して、注文する原画像の選択、原画像に重畳して転写するホログラム画像の選択、その他の画像処理の指示等を行う。
【００２０】
タッチパネル付ディスプレイ１０１の下部には、メディア挿入口１０３、レシート取出口１０５が設けられる。
メディア挿入口１０３は、各記憶媒体（ＤＶＤ−ＲＯＭ／ＣＤ−ＲＯＭ／ＣＤ−Ｒ／ＣＤ−ＲＷ、コンパクトフラッシュ（登録商標）、ＳＤ（Ｓｅｃｕｒｅ  Ｄｉｇｉｔａｌ）カード、ミニＳＤカード、マイクロＳＤカード、ｘＤ−ピクチャーカード、Ｓｍａｒｔ  Ｍｅｄｉａ（登録商標）、ＭＥＭＯＲＹ  ＳＴＩＣＫ（登録商標）、ＵＳＢ（Ｕｎｉｖｅｒｓａｌ  Ｓｅｒｉａｌ  Ｂｕｓ）メモリ等）の挿入口であり、複数の挿入口がまとめて配置されている。また、注文受付端末１００の筐体内には、各記憶媒体の挿入口に対応して、各種メディア読取部（不図示）が設置されている。注文受付端末１００の制御部は、メディア挿入口１０３に挿入された記憶媒体から原画像を読み取り、記憶部に記憶する。
また、レシート取出口１０５からは、徴収金額や注文内容等が印刷されたレシートが放出される。注文受付端末１００の筐体内には、レシート取出口１０５に対応して、レシートプリンタ（不図示）が設置されている。
【００２１】
次に、図３を用いて印刷機２００について説明する。図３に示すように、印刷機２００は、カラー画像転写部２１０とホログラム画像転写部２２０を有する。
【００２２】
カラー画像転写部２１０は、注文受付端末１００にてユーザ入力された原画像（または原画像に所定の画像処理が施された画像）を、熱転写方式によりロール紙３へ印画するもので、ロール紙３の両面にそれぞれ印画を行うための２組のプラテンローラ５とサーマルヘッド７とカッタ９、その他ロール紙３を搬送するための搬送ローラ等の図示しない搬送機構を有する。
【００２３】
印画を行う際は、プラテンローラ５とサーマルヘッド７の一組によりロール紙３の一方の面に印画を行い、プラテンローラ５とサーマルヘッド７の別の一組によりロール紙３の別の一方の面に印画を行う。そして、両面に印画を行ったロール紙３を、カッタ９により所定の長さ（例えば最終的に形成される印画物の１枚ごと）に切断し、ホログラム画像転写部２２０へと送り出す。
【００２４】
ロール紙３は、図４に示すように、紙材２３の両面に、接着層２５、多孔ポリプロピレンフィルム２７、中間層２９、受容層３１が順次設けられる構成となっている。これらは、強度や耐熱性、色材の接着性などを考慮して、様々な構成あるいは材料を用いることができる。ロール紙の厚さは、最終的に形成される印画物のページの質感に合わせて、５０〜３００μｍのものを用いることが好ましい。また、ロール紙３の受容層３１に熱転写シート１１の色材が転写されるが、この受容層３１を両面に設けていることで、ロール紙３の両面印刷が可能である。
【００２５】
プラテンローラ５は、ロール紙３を搬送しつつ受容層３１に画像を印画するためのものである。プラテンローラ５は、円筒状であり、モータ等の駆動機構（不図示）を備えても良く、印刷時にロール紙３を搬送する。プラテンローラ５の円筒面ではロール紙３が搬送されるとともに、サーマルヘッド７による印画が行われる。
【００２６】
サーマルヘッド７は、熱転写シート１１の色材と保護層をロール紙３に転写するものである。サーマルヘッド７は、発熱部、画像情報入力部、昇降部、制御部等（不図示）を有する。
印刷を行う際、サーマルヘッド７は、プラテンローラ５との間で熱転写シート１１とロール紙３を圧接するとともに、発熱部を構成する発熱素子を画像情報入力部より入力された画像データに応じて発熱させ、熱転写シート１１の色材層の色材をロール紙３に転写し印画する。
【００２７】
熱転写シート供給ロール１０ａは、熱転写シート１１を巻き付けたものである。熱転写シート供給ロール１０ａに巻き付けられた熱転写シート１１は、印画時に搬送され、サーマルヘッド７の発熱部を経由して、熱転写シート巻取ロール１０ｂに巻き取られる。
【００２８】
熱転写シート１１は、基材シート上に色材層および保護層を設けたものである。熱転写シート１１としては、従来から知られている様々なものを使用可能である。図５に示すように、熱転写シート１１の平面構成は、Ｙ（イエロー）、Ｍ（マゼンダ）、Ｃ（シアン）の色材層を有する領域が面順次に設けられる。色材の転写順は、Ｙ（イエロー）、Ｍ（マゼンダ）、Ｃ（シアン）となる。また、熱転写シート１１は、印画後の画像を保護するためのＯＰ（保護層）の領域がＣ（シアン）の後に面順次に設けられる。
熱転写シート１１の平面構成は図５に限らず、Ｋ（ブラック）や特色の色材層を有する領域を更に加えても良い。
【００２９】
前述したカラー画像転写部２１０は、図３に示す構成に限らず、１つのプラテンローラ５と、プラテンローラ５の上下に配置した２つのサーマルヘッド７、ガイドベーン等により構成されるものでもよい。この場合はロール紙３の一方の面にプラテンローラ５の上方のサーマルヘッド７により画像の印画および保護層の転写を行い、その後ロール紙３を引き戻してガイドベーンにより搬送経路を変化させ、ロール紙３をプラテンローラ５の下方に搬送し、ロール紙３の別の一方の面にプラテンローラ５の下方のサーマルヘッド７により画像の印画および保護層の転写を行う。そして、両面に印画を行ったロール紙３を、カッタ９により所定の長さ（例えば印画物の１枚ごと）に切断し、ホログラム画像転写部２２０へと送り出す。
【００３０】
ホログラム画像転写部２２０は、プラテンローラ１３、プラテンローラ１３の上下に配置された２つのサーマルヘッド１５、ガイドベーン１７、２つの熱転写シート供給ロール１９ａ、２つの熱転写シート巻取ロール１９ｂ、２つのホログラム熱転写シート２１、その他ロール紙３を搬送するための図示しない搬送機構等を有する。
ホログラム画像転写部２２０は、サーマルヘッド１５によりロール紙３にホログラム熱転写シート２１のホログラム層の転写を行う。
【００３１】
ホログラム熱転写シート２１の層構成について、図６を用いて説明する。図６において下方はホログラム層をロール紙３に転写する際にロール紙３に対向する側、上方はサーマルヘッド１５に対向する側とする。
【００３２】
ホログラム熱転写シート２１は、ロール紙３にホログラム画像を形成するための転写材であって、熱転写シート１１のように複数の色材等が面順次に形成されているのではなく、いわゆるエンドレス柄となっている。
ホログラム熱転写シート２１は、サーマルヘッド１５に対向する側（図６の上方）より順に、耐熱層３３、ＰＥＴ（ポリエチレンテレフタレート）フィルム３５、剥離層３７、エンボス層３９、蒸着層４１、接着層４３を有する。転写の際、サーマルヘッド１５によって、エンボス層３９、蒸着層４１、接着層４３がホログラム層として転写される。
耐熱層３３は、サーマルヘッド１５に対する耐熱性を有するものである。剥離層３７は、転写時にホログラム層（エンボス層３９、蒸着層４１、および接着層４３）を円滑に剥離するための層である。エンボス層３９は、光回折性の微細な凹凸を有し、印画物の意匠性を高めるためのものである。蒸着層４１は、金属薄膜などが蒸着された金属光沢反射層、または透明反射層であり、光を反射して回折効果を高めるものである。接着層４３は、転写後にエンボス層３９および蒸着層４１をロール紙３に接着させるためのものである。また剥離層３７は、転写時にホログラム層と共に印画物に転写する層であっても良い。
【００３３】
ホログラム熱転写シート２１は、図６に示す例の他に、様々な層構成を有しても良い。例えば、剥離層３７に受容性能を持たせる、あるいは剥離層３７の上に受容層を形成し、転写時にホログラム層と共に印画物に転写する層としても良い。これによって、ホログラム層を印画物に転写した後、ホログラム層の上に、Ｙ（イエロー）、Ｍ（マゼンダ）、Ｃ（シアン）などの色材を転写し、印画物の意匠性を更に高めることができる。例えば、銀色のホログラム層にＹ（イエロー）の色材を重畳して転写することで、印画物に金色の柄を印画することができる。この場合、ホログラム画像転写部２２０によってホログラム層を印画物に転写した後、ユーザ入力された原画像等の転写とホログラム部への着色を行うこともできる。
また、例えば、剥離層３７が蛍光性（または蓄光性）の顔料（または染料）等を含む、あるいは剥離層３７の上に蛍光層（または蓄光層）を形成し、転写時にホログラム層と共に印画物に転写する層としても良い。これによって、印画物に蛍光性（または蓄光性）のある柄を印画し、印画物の意匠性を更に高めることができる。
上記の蛍光・蓄光色材は、エンボス層・蒸着層を用いず、剥離層と接着層間にこれの色材層を設けたものを用いても良い。
また、例えば、図６に示すエンボス層３９を形成しないようにしても良い。これによって、印画物の光回折性を抑えて、その他の意匠、例えば前述の色材の重畳転写による柄や蛍光性（または蓄光性）のある柄を強調することができる。
【００３４】
ホログラム画像転写部２２０は、ロール紙３の一方の面にプラテンローラ１３の上方のサーマルヘッド１５により、ホログラム熱転写シート２１のホログラム層の転写を行い、その後ロール紙３を引き戻してガイドベーン１７により搬送経路を変化させ、ロール紙３をプラテンローラ１３の下方に搬送し、ロール紙３の別の面にプラテンローラ１３の下方のサーマルヘッド１５によりホログラム熱転写シート２１のホログラム層の転写を行う。
【００３５】
前述したホログラム画像転写部２２０は、図３に示す例に限らず、１つのプラテンローラ１３、１つのサーマルヘッド１５、１つのホログラム熱転写シート２１等により構成されるものでもよい。この場合は、プラテンローラ１３の一方の方向（例えば、時計回り）にロール紙３を送り出して転写開始位置に搬送し、一方の面にホログラム層の転写を行った後、プラテンローラ１３の他方の方向（例えば、反時計周り）にロール紙３を送り出して転写開始位置に搬送し、他方の面にホログラム層の転写を行う。
【００３６】
転写開始位置の決定方法は、例えば、（１）予めホログラム熱転写シート２１に検知マークを設けておく、（２）１枚目のホログラム転写時に検知マークをホログラム熱転写シート２１に形成する、（３）ホログラム熱転写シート２１の送り量を、ステッピングモーター等で把握して制御する、などの方法がある。本発明の実施形態では、いずれの方法を用いても良い。
ホログラム画像転写部２２０は、ホログラム熱転写シート２１のホログラム層の転写を行う際、ロール紙３の搬送に合わせて、前述のいずれかの方法によって、ホログラム熱転写シート２１を転写開始位置に搬送する。
但し、後述するように、ホログラム画像転写部２２０は、印画物１枚分の領域を複数枚の画像形成処理に利用することがある。従って、ホログラム画像転写部２２０は、ホログラム熱転写シート２１を次の転写開始位置に搬送するだけでなく、ホログラム熱転写シート２１を直前の画像形成処理と同一の転写開始位置に搬送することもある。
【００３７】
次に、図７から図１６を参照しながら、画像形成システム１の処理の詳細について説明する。画像形成システム１では、ユーザが印刷を希望する原画像（または原画像に所定の画像処理が施された画像）に重畳してホログラム画像を形成することによって装飾を行い、印画物の意匠性を高める。
【００３８】
図７は、注文受付端末１００の記憶部に記憶される装飾グループ３００ａおよび３００ｂの一例を示している。
装飾グループ３００ａおよび３００ｂは、印刷機２００のホログラム画像転写部２２０によって転写されるホログラム画像のテンプレートの集合である。注文受付端末１００は、互いに印画領域が重複しないテンプレートを同一のグループとして予め記憶している。
【００３９】
ここで、印画領域とは、最終的に形成される印画物を全体領域としたときの一部の領域であって、ホログラム層を転写する画素の集合に相当する。従って、互いに印画領域が重複しないテンプレートのホログラム画像を連続してロール紙３に転写する場合、ホログラム画像転写部２２０は、ホログラム熱転写シート２１を同一の転写開始位置に送り出して転写することができる。すなわち、この場合、ホログラム熱転写シート２１は１枚分の印画物の領域のみが消費され、複数枚の印画物にホログラム画像を形成することができる。従って、高価なホログラム転写シート２１を効率良く使用することができる。
【００４０】
図７に示す例では、テンプレート３０１ａ、３０１ｂ、３０１ｃは、装飾グループ３００ａとして記憶されている。テンプレート３０１ａの画像は、印画物の内縁（内側のへり）が印画領域となっている。また、テンプレート３０１ｂの画像は、印画物の右下（但し、内縁を除く）が印画領域となっている。また、テンプレート３０１ｃの画像は、印画物の左上（但し、内縁を除く）が印画領域となっている。テンプレート３０１ａ、３０１ｂ、３０１ｃの四隅を合わせて重ねても、互いに印画領域は重複しない。
また、テンプレート３０１ｄ、３０１ｅ、３０１ｆは、装飾グループ３００ｂとして記憶されている。テンプレート３０１ｄの画像は、印画物の右半分（但し、下辺の内縁を除く）が印画領域となっている。また、テンプレート３０１ｅの画像は、印画物の左半分（但し、下辺の内縁を除く）が印画領域となっている。また、テンプレート３０１ｆの画像は、印画物の下辺の内縁が印画領域となっている。テンプレート３０１ｄ、３０１ｅ、３０１ｆの四隅を合わせて重ねても、互いに印画領域は重複しない。
以下、装飾グループを総称するときは、３００の符号を付して記載する。同様に、テンプレートを総称するときは、３０１の符号を付して記載する。
【００４１】
図８は、注文受付端末１００から印刷機２００に送信される印刷データ３１０の一例を示している。注文受付端末１００は、ユーザから注文を受け付ける際、図８に示す印刷データ３１０を生成する。
印刷データ３１０は、主要なデータとして、カラー画像３１１、ホログラム画像３１３、重複有無情報３１５等を含む。
カラー画像３１１は、注文受付端末１００にてユーザ入力された原画像、または原画像に所定の画像処理が施された画像である。カラー画像３１１は、印刷機２００のカラー画像転写部２１０によって、ロール紙３に形成される。
ホログラム画像３１３は、注文受付端末１００にて選択または入力された画像であって、例えば、図７に示すテンプレート３０１の画像である。ホログラム画像３１３は、印刷機２００のホログラム画像転写部２２０によって、カラー画像３１１に重畳してロール紙３に形成される。
重複有無情報３１５は、少なくとも直前に受け付けた注文、すなわち少なくとも直前に生成された印刷データ３１０に係るホログラム画像３１３と互いに印画領域が重複するか否かを示す情報である。重複有無情報３１５は、「重複なし」または「重複の可能性あり」のいずれかである。重複有無情報３１５は、印刷機２００のホログラム画像転写部２２０によって参照される。
【００４２】
印刷機２００は、注文受付端末１００から印刷データ２００を受信すると、カラー画像転写部２１０が、注文受付端末１００による注文の受付順、すなわち印刷データ３１０の生成順に従い、カラー画像３１１をロール紙３に形成する。更に、ホログラム画像転写部２２０が、カラー画像転写部２１０によって形成された画像と対応するホログラム画像３１３をロール紙３に形成する。
ホログラム画像転写部２２０は、ホログラム画像３１３をロール紙３に形成する際、重複有無情報３１５を確認する。重複有無情報３１５が「重複なし」を示す場合、ホログラム画像転写部２２０は、直前の画像形成処理と同一の転写開始位置にホログラム熱転写シート２１を搬送し、画像形成処理を行う。また、重複有無情報３１５が「重複の可能性あり」を示す場合、ホログラム画像転写部２２０は、次の転写開始位置にホログラム熱転写シート２１を搬送し、画像形成処理を行う。
【００４３】
図９は、注文受付端末１００によるテンプレート選択処理を示している。
図９に示すように、注文受付端末１００は、ユーザに対して、テンプレート３０１と対応付ける原画像を選択させる（Ｓ１０１）。注文受付端末１００は、例えば、タッチパネル付きディスプレイ１０１に原画像の一覧を表示し、ユーザからの選択を受け付ける。
【００４４】
次に、注文受付端末１００は、選択済のテンプレート３０１があるかどうかを確認する（Ｓ１０２）。
選択済のテンプレート３０１がない場合（Ｓ１０２のＮｏ）、注文受付端末１００は、図１０に示す一覧画面（推奨無）３２０をタッチパネル付きディスプレイ１０１に表示する（Ｓ１０３）。
【００４５】
選択済のテンプレート３０１がある場合（Ｓ１０２のＹｅｓ）、注文受付端末１００は、直前に選択したテンプレート３０１と同一の装飾グループ３００内に未選択のテンプレート３０１があるかどうか確認する（Ｓ１０４）。
同一の装飾グループ３００内に未選択のテンプレート３０１がない場合（Ｓ１０４のＮｏ）、注文受付端末１００は、図１０に示す一覧画面（推奨無）３２０をタッチパネル付きディスプレイ１０１に表示する（Ｓ１０３）。
同一の装飾グループ３００内に未選択のテンプレート３０１がある場合（Ｓ１０４のＹｅｓ）、注文受付端末１００は、図１１に示す一覧画面（推奨有）３４０をタッチパネル付きディスプレイ１０１に表示する（Ｓ１０５）。
【００４６】
図１０に示すように、一覧画面（推奨無）３２０には、Ｓ１０１にて選択された原画像に、選択可能なテンプレート３０１の画像が重畳されたプレビュー画像の一覧が表示される。図１０では、３２１〜３２６がプレビュー画像である。また、一覧画面（推奨無）３２０には、選択中であることを示す選択枠３３１、前に戻るボタン３３２、選択ボタン３３３、全ておまかせボタン３３４等が表示される。
一覧画面（推奨無）３２０におけるプレビュー画像は、一部が特に区別されることなく、予め定められた順番に表示される。
【００４７】
図１１に示すように、一覧画面（推奨有）３４０には、Ｓ１０１にて選択された原画像に、選択可能なテンプレート３０１の画像が重畳されたプレビュー画像の一覧が表示される。図１１では、３４１〜３４５がプレビュー画像である。また、一覧画面（推奨有）３４０には、選択中であることを示す選択枠３５１、前に戻るボタン３５２、選択ボタン３５３、おまかせボタン３５４等が表示される。
一覧画面（推奨有）３４０におけるプレビュー画像は、一部がおすすめ画像として識別可能に表示され、それ以外がその他画像として表示される。
【００４８】
おすすめ画像として表示されるテンプレート３０１は、直前に選択したテンプレート３０１と同一の装飾グループ３００であって、未選択のものである。従って、おすすめ画像として表示されるテンプレート３０１の画像は、少なくとも直前に受け付けた注文（すなわち少なくとも直前に生成された印刷データ３１０）に係るホログラム画像３１３と互いに印画領域が重複しない画像である。
図１１に示す一覧画面（推奨有）３４０の表示内容は、図１０に示す一覧画面（推奨無）画面３２０においてプレビュー画像３２１が選択された直後に表示されるものである。つまり、プレビュー画像３２１は、図７に示すテンプレート３１０ａの画像が重畳されたものであるから、注文受付端末１００は、おすすめ画像として、装飾グループ３００ａの中で未選択であるテンプレート３０１ｂ、３０１ｃが重畳されたプレビュー画像３４１、３４２を表示する。
【００４９】
図９の説明に戻る。
注文受付端末１００は、ユーザに対して、一覧画面（推奨無）３２０または一覧画面（推奨有）３４０から１つのプレビュー画像を選択させ、選択されたプレビュー画像に対応するテンプレート３０１の画像をホログラム画像３１３とする（Ｓ１０６）。
【００５０】
次に、注文受付端末１００は、Ｓ１０１にて選択された原画像（または原画像に対して所定の画像処理が施された画像）をカラー画像３１１とし、Ｓ１０６にて選択されたホログラム画像３１３と対応付けて、印刷データ３１０を作成し、仮注文として受け付ける（Ｓ１０７）。
印刷データ３１０を作成する際、注文受付端末１００は、少なくとも直前に受け付けた仮注文に係るテンプレート３０１が同一の装飾グループ３００かどうかを判定することによって重複有無情報３１５を設定する。すなわち、注文受付端末１００は、直前に受け付けた仮注文に係るテンプレート３０１と同一の装飾グループ３００のテンプレート３０１が選択された場合（図７の例であれば、例えば、直前に受け付けた仮注文において装飾グループ３００ａのテンプレート３０１ａが選択され、続いて装飾グループ３００ａのテンプレート３０１ｂが選択された場合）、重複有無情報３１５に「重複無し」を設定する。また、直前に受け付けた仮注文に係るテンプレート３０１と異なる装飾グループ３００のテンプレート３０１が選択された場合（図７の例であれば、例えば、直前に受け付けた仮注文において装飾グループ３００ａのテンプレート３０１ａが選択され、続いて装飾グループ３００ｂのテンプレート３０１ｄが選択された場合）、重複有無情報３１５に「重複可能性有り」を設定する。
尚、仮注文はキャンセルすることもできるが、キャンセルされて再度注文された場合、重複有無情報３１５は新たに設定され、注文の受付順、すなわち印刷機２００にて画像形成される順番は最後になる。
【００５１】
図１０に示す一覧画面（推奨無）３２０において、例えば、ユーザが、プレビュー画像３２１〜３２６のいずれか１つを選択し、選択ボタン３３３を押下すると、注文受付端末１００は、印刷データ３１０を１つ作成し、仮注文として受け付ける。
また、例えば、ユーザが、全ておまかせボタン３３４を押下すると、注文受付端末１００は、ユーザが印刷を希望する残りの原画像の分だけ印刷データ３１０を作成し、仮注文として受け付ける。ここで、注文受付端末１００は、ホログラム転写シート２１を効率良く使用できるように、カラー画像３１１と対応付けるホログラム画像３１３を選択するようにしても良い。具体的には、注文受付端末１００は、同一の装飾グループ３００に含まれるテンプレート３００を連続して選択していく。
【００５２】
図１１に示す一覧画面（推奨有）３４０において、例えば、ユーザが、プレビュー画像３４１〜３４２（おすすめ画像）のいずれか１つを選択し、選択ボタン３３３を押下すると、注文受付端末１００は、重複有無情報３１５に「重複なし」を設定して印刷データ３１０を１つ作成し、仮注文として受け付ける。
また、例えば、ユーザが、プレビュー画像３４３〜３４５（その他画像）のいずれか１つを選択し、選択ボタン３３３を押下すると、注文受付端末１００は、重複有無情報３１５に「重複可能性有り」を設定して印刷データ３１０を１つ作成し、仮注文として受け付ける。
また、例えば、ユーザが、おまかせボタン３５４を押下すると、注文受付端末１００は、印刷データ３１０を１つ作成し、仮注文として受け付ける。ここで、注文受付端末１００は、ホログラム転写シート２１を効率良く使用できるように、プレビュー画像３４１〜３４２（おすすめ画像）のいずれかをホログラム画像３１３として選択するようにしても良い。
【００５３】
図９の説明に戻る。
注文受付端末１００は、ホログラム画像の選択を終了するかどうか確認する（Ｓ１０８）。
ホログラム画像の選択を続行する場合（Ｓ１０８のＮｏ）、注文受付端末１００は、Ｓ１０１から繰り返す。
ホログラム画像の選択を終了する場合（Ｓ１０８のＹｅｓ）、注文受付端末１００は、テンプレート選択処理を終了し、料金徴収処理等に移行する。
【００５４】
尚、前述の説明では、テンプレート３０１ごとに１つの画像が記憶されているものとしたが、本発明の実施の形態はこれに限定されない。例えば、テンプレート３０１には、印画を許容する領域（以下、「印画許容領域」という。）のみを記憶しておき、テンプレート３０１と対応付けて、印画許容領域内に印画領域が含まれる画像を複数記憶するようにしても良い。これによって、一覧画面（推奨有）３４０におすすめ画像として表示される画像を増やすことが可能となる。
【００５５】
図１２は、装飾グループの変形例を示す図である。
図１２には、装飾グループ（枠）３０２、装飾グループ（上下）３０４、装飾グループ（左右）３０６、装飾グループ（ワンポイント）３０８が示されている。
図７に示す各装飾グループは、互いに印画領域が重複しないテンプレートを同一のグループとしたが、図１２に示す各装飾グループは、互いに印画領域が重複するテンプレートを同一のグループとしている。
装飾グループ（枠）３０２に含まれるテンプレート３０３ａ〜３０３ｃは、印画物の内縁（内側のへり）が印画領域となっている。また、装飾グループ（上下）３０４に含まれるテンプレート３０５ａ〜３０５ｃは、印画物の上端、下端が印画領域となっている。装飾グループ（左右）３０６に含まれるテンプレート３０７ａ〜３０７ｃは、印画物の左端、右端が印画領域となっている。装飾グループ（ワンポイント）３０８に含まれるテンプレート３０９ａ〜３０９ｃは、印画物の中央部分（印画物の内縁を除く部分）が印画領域となっている。
尚、テンプレート３０３ａ、３０５ａ、３０７ａに示す点線の斜線で示した領域は、非印画領域（画像を除く領域）である。当然ながら、その他のテンプレートも、非印画領域を定義することが可能である。
【００５６】
例えば、ユーザが、装飾グループ（上下）３０４に含まれるテンプレート３０５ａを選択すると、注文受付端末１００は、次に、装飾グループ（ワンポイント）３０８に含まれるテンプレート３０９ａ〜３０９ｃをおすすめ画像として表示する。ここで、テンプレート３０９ａ〜３０９ｃの画像は、図１２に示す位置だけでなく、印画物の中央部分（印画物の内縁を除く部分）内の所望の位置に配置出来るようにしても良い。すなわち、テンプレート３０５ａの非印画領域（点線の斜線で示した領域）内であれば、どの位置に配置しても良い。
注文受付端末１００は、テンプレート３０３ａが選択されたことを示す情報を「重複有無情報」とともに保持し、保持した情報に基づいて、次におすすめ画像として表示する装飾グループを抽出する。ここで、装飾グループの抽出は、予めパターンをプログラムに組み込んでおくようにしても良い。
【００５７】
装飾グループの組み合わせは、印画領域が重複しない限り、装飾グループ（枠）３０２、装飾グループ（上下）３０４、装飾グループ（左右）３０６、装飾グループ（ワンポイント）３０８等を任意に組み合わせても良い。
例えば、装飾グループ（上下）３０４と装飾グループ（ワンポイント）３０８は、受像紙のサイズと画像のレイアウトが固定されている場合にも組み合わせることができる。
また、例えば、装飾グループ（ワンポイント）３０８が、位置を特定せずに画像のみを保持している場合、装飾グループ（枠）３０２や装飾グループ（左右）３０６とも組み合わせることができる。
【００５８】
また、前述の説明では、テンプレートをグループ化したが、グループ化をせずに、おすすめ画像を選択するようにしても良い。
例えば、図１２に示すテンプレート３０３ａ、３０５ａ、３０７ａに示す点線の斜線で示した領域のように、注文受付端末１００は、画像ごとに、非印画領域（画像を除く領域）をテンプレートデータとして保持しておき、非印画領域に基づいて、印画領域が重複しない画像をお勧め画像として選択するようにしても良い。
【００５９】
図１３は、印刷機２００による画像形成処理を示している。注文受付端末１００は、受付順に印刷データ３１０を送信し、印刷機２００は受信した順番で画像形成処理を行う。
図１３では、１つの印刷データ３１０を受信してからロール紙３の片面に印画物１枚分の画像を形成するまでの処理を示しており、複数の印刷データ３１０に対して画像形成を行う場合、印刷データ３１０の分だけ図１３に示す処理を繰り返すものとする。
また、説明を簡単にする為、以下では、印刷機２００は、１つのホログラム熱転写シート２１を具備するものとする。
【００６０】
図１３に示すように、印刷機２００の制御部は、印刷データ３１０を受信すると、カラー画像転写部２１０へロール紙３を搬送し（Ｓ２０１）、カラー画像転写部２１０はカラー画像３１１をロール紙３に転写する（Ｓ２０２）。
次に、印刷機２００の制御部は、ホログラム画像転写部２２０へロール紙３を搬送し（Ｓ２０３）、重複有無情報３１５を確認する（Ｓ２０４）。
重複有無情報３１５が「重複なし」の場合（Ｓ２０４のＹｅｓ）、印刷機２００の制御部は、ホログラム転写シート２１を直前の画像形成処理と同じ転写開始位置に搬送する（Ｓ２０５）。
重複有無情報３１５が「重複可能性あり」の場合（Ｓ２０４のＮｏ）、印刷機２００の制御部は、ホログラム転写シート２１を次の転写開始位置に搬送する（Ｓ２０６）。
そして、ホログラム画像転写部２２０は、ホログラム画像３１３をカラー画像３１１に重畳してロール紙３に転写する（Ｓ２０７）。
【００６１】
前述の説明では、注文受付端末１００は、ホログラム画像３１３をテンプレート３０１として予め記憶しているものとしたが、本発明の実施形態はこれに限定されない。
ホログラム画像３１３は、注文を受け付ける際、ユーザが注文受付端末１００のタッチパネル付ディスプレイ１０１を介して入力するものであっても良い。例えば、注文受付端末１００は更にタッチペンを備え、ユーザはタッチペンによって所望の文字、図形、記号等を入力する。この場合、注文受付端末１００は、入力されたホログラム画像３１３を記憶する際、少なくとも直前に受け付けた注文に係るホログラム画像３１３と互いに印画領域が重複するか否かを判定することによって重複有無情報３１５を設定し、入力されたホログラム画像３１３とともに記憶する。
【００６２】
図１４は、ホログラム画像３１３を入力する場合の一覧画面（推奨無）３２０ａの一例を示している。
図１４に示すように、一覧画面（推奨無）３２０ａには、選択された原画像に入力可能な領域（落書きスペース）が重畳されたプレビュー画像の一覧が表示される。図１４では、３２１ａ〜３２４ａがプレビュー画像である。また、一覧画面（推奨無）３２０ａには、選択中であることを示す選択枠３３１ａ、前に戻るボタン３３２ａ、選択ボタン３３３ａ、全スペースボタン３３４ａ等が表示される。尚、全スペースボタン３３４ａが押下されると、ユーザは全てのスペースにおいてタッチペンによる入力が可能となる。
一覧画面（推奨無）３２０ａにおけるプレビュー画像は、一部が特に区別されることなく、予め定められた順番に表示される。
【００６３】
図１５は、ホログラム画像３１３を入力する場合の一覧画面（推奨有）３４０ａの一例を示している。
図１５に示すように、一覧画面（推奨有）３４０ａには、選択された原画像に入力可能な領域（落書きスペース）が重畳されたプレビュー画像の一覧が表示される。図１５では、３４１ａ〜３４４ａがプレビュー画像である。また、一覧画面（推奨有）３４０ａには、選択中であることを示す選択枠３５１ａ、前に戻るボタン３５２ａ、選択ボタン３５３ａ、全スペースボタン３５４ａ等が表示される。尚、全スペースボタン３５４ａが押下されると、ユーザは全てのスペースにおいてタッチペンによる入力が可能となる。
一覧画面（推奨有）３４０ａにおけるプレビュー画像は、一部がおすすめ落書きスペースとして識別可能に表示され、それ以外がその他落書きスペースとして表示される。
【００６４】
注文受付端末１００は、直前ｎ回（ｎは１以上）で連続して異なる領域が選択された場合、おすすめ落書きスペースとして、直前ｎ回において未選択の領域が重畳されたプレビュー画像を表示する。例えば、直前３回で「左上」、「右上」、「左下」が選択された場合、注文受付端末１００は、「右下」をおすすめ落書きスペースとして表示する。また、例えば、直前２回で「左上」、「右上」が選択された場合、注文受付端末１００は、「左下」、「右下」をおすすめ落書きスペースとして表示する。また、例えば、直前１回で「左上」が選択された場合、注文受付端末１００は、「右上」、「左下」、「右下」をおすすめ落書きスペースとして表示する。
従って、おすすめ落書きスペースとして表示される領域は、少なくとも直前に受け付けた注文に係るホログラム画像３１３と互いに印画領域が重複しない領域である。
【００６５】
図１５に示す一覧画面（推奨有）３４０ａの表示内容は、図１４に示す一覧画面（推奨無）画面３２０ａにおいてプレビュー画像３２１ａが選択された直後に表示されるものである。つまり、プレビュー画像３２１ａは、「左上」の落書きスペースが重畳されたものであるから、注文受付端末１００は、おすすめ落書きスペースとして、未選択の「右上」、「左下」、「右下」の落書きスペースが重畳された画像であるプレビュー画像３４１ａ、３４２ａ、３４３ａを表示する。
【００６６】
また、前述の説明では、装飾グループ３００が注文受付端末１００の記憶部に予め記憶されるものとしたが、本発明の実施形態はこれに限定されない。
例えば、図１６に示すように、レイアウトグループ３６０を予め記憶するようにしても良い。
レイアウトグループ３６０は、複数のレイアウトテンプレート３６１の集合である。レイアウトテンプレート３６１は、印刷機２００のカラー画像転写部２１０によって同時に転写される複数のカラー画像３１１の印画位置情報と、画像ホログラム３１３とを含む。
注文受付端末１００は、互いに画像ホログラム３１３の印画領域が重複しないレイアウトテンプレート３６１を同一のレイアウトグループ３６０として予め記憶している。尚、図１２に示す例と同様、互いに印画領域が重複するレイアウトテンプレートを同一のレイアウトグループ３６０として予め記憶しても良い。
複数のカラー画像３１１を１ページ（同一の印画物の片面）にレイアウトして形成することは、例えば、フォトブックなどの作成において用いられる手法である。
【００６７】
図１６に示す例では、レイアウトテンプレート３６１ａ、３６１ｂは、レイアウトグループ３６０として記憶されている。レイアウトテンプレート３６１ａに含まれるホログラム画像３１３は、印画物の内縁（内側のへり）、四隅、および中央が印画領域となっている。また、テンプレート３６１ｂに含まれるホログラム画像３１３は、印画物の中央を除く十字部分（但し、レイアウトテンプレート３６１ａに含まれるホログラム画像３１３の印画領域を除く）が印画領域となっている。レイアウトテンプレート３６１ａ、３６１ｂの四隅を合わせて重ねても、互いにホログラム画像３１３の印画領域は重複しない。
【００６８】
レイアウトテンプレート３６１を用いる場合、注文受付端末１００は、選択されたレイアウトテンプレート３６１を記憶する際、少なくとも直前に受け付けた注文に係るレイアウトテンプレート３６１に含まれるホログラム画像３１３と互いに印画領域が重複するか否かを判定することによって重複有無情報３１５を設定する。
そして、印刷データ３１０には、レイアウトテンプレート３６１も含まれる。また、印刷データ３１０には、レイアウトテンプレート３６１に対応した数のカラー画像３１１が含まれる。
例えば、フォトブックを作成する際、ユーザが全てのレイアウトをおまかせにする場合、注文受付端末１００はホログラム転写シート２１を効率良く使用できるように、レイアウトテンプレート３６１を選択するようにしても良い。具体的には、注文受付端末１００は、同一のレイアウトグループ３６０に含まれるレイアウトテンプレート３６１を連続して選択していく。
【００６９】
以上説明した通り、本発明の実施の形態における画像形成システム１では、注文受付端末１００は、ユーザが印刷を希望する原画像を入力し、原画像または原画像に所定の画像処理を施した画像であるカラー画像３１１に重畳して印画するホログラム画像３１３を記憶しておき、少なくとも直前に受け付けた注文に係るホログラム画像３１３と互いに印画領域が重複するか否かを示す重複有無情報３１５とともにカラー画像３１１とホログラム画像３１３とを対応付けて注文を受け付ける。
また、印刷機は、受付順に従い、カラー画像３１１をロール紙３に形成し、重複有無情報３１５が重複なしを示す場合、ホログラム画像３１３を形成するホログラム熱転写シート２１を直前の画像形成処理と同一の転写開始位置に搬送し、形成されたカラー画像３１１と対応するホログラム画像３１３をロール紙３に形成する。
これによって、ホログラム熱転写シート２１を効率良く使用することができる。
【００７０】
尚、カラー画像３１１を装飾するものはホログラム画像に限定されない。例えば、ホログラム熱転写シート２１に代えて、手書き文字等を転写するための金属蒸着層やスクラッチ性がある隠蔽層などを有する熱転写シートを用いて、装飾箇所を形成しても良い。これによって、カラー画像に重畳して手書き文字を書き込むことや、尖ったもので引っ掻いてサイン等を記すことが可能となる。この場合であっても、少なくとも直前に受け付けた注文に係る装飾箇所と互いに印画領域が重複するか否かを示す重複有無情報を設定することで、熱転写シートを効率良く使用することができる。
【００７１】
以上、添付図面を参照しながら、本発明に係る画像形成システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７２】
１………画像形成システム
３………ロール紙
１１………熱転写シート
２１………ホログラム熱転写シート
１００………注文受付端末
２００………カラー画像転写部
２１０………ホログラム画像転写部
３００………装飾グループ
３０１………テンプレート
３１０………印刷データ
３１１………カラー画像
３１３………ホログラム画像
３１５………重複有無情報
３２０………一覧画面（推奨無）
３４０………一覧画面（推奨有）
３６０………レイアウトグループ
３６１………レイアウトテンプレート
【図１】
0005565085.tif 000002
【図２】
0005565085.tif 000003
【図３】
0005565085.tif 000004
【図４】
0005565085.tif 000005
【図５】
0005565085.tif 000006
【図６】
0005565085.tif 000007
【図７】
0005565085.tif 000008
【図８】
0005565085.tif 000009
【図９】
0005565085.tif 000010
【図１０】
0005565085.tif 000011
【図１１】
0005565085.tif 000012
【図１２】
0005565085.tif 000013
【図１３】
0005565085.tif 000014
【図１４】
0005565085.tif 000015
【図１５】
0005565085.tif 000016
【図１６】
0005565085.tif 000017